(57)【要約】【課題】屋上緑化のための植物生育材料を軽量化しつつ該植物生育材料により植物の生育を促すことができるようにすること。【解決手段】屋上緑化のための植物生育材料は、軽石と、粘土粒子を含む土と、団粒剤と、水との混合物からなる。前記植物生育材料は、前記混合物に保水剤が含まれているものとすることができる。前記軽石の量と前記土の量との合計１．０ｍ３につき、前記軽石の量は０．３ｍ３ないし０．９ｍ３であり、前記団粒剤の量は１ｋｇないし６ｋｇであり、前記水の量は０．１ｍ３ないし０．５ｍ３である。【選択図】図２
2012244934.tif 000002
【特許請求の範囲】
【請求項１】
屋上緑化のための植物生育材料であって、
軽石と、粘土粒子を含む土と、団粒剤と、水との混合物からなる、植物生育材料。
【請求項２】
前記混合物に保水剤が含まれている、請求項１に記載の植物生育材料。
【請求項３】
前記混合物に肥料及び植物の破砕片の少なくとも一方が含まれている、請求項１又は２に記載の植物生育材料。
【請求項４】
前記軽石は洗浄されている、請求項１ないし３のいずれか１項に記載の植物生育材料。
【請求項５】
前記軽石の量と前記土の量との合計１．０ｍ３につき、前記軽石の量は０．３ｍ３ないし０．９ｍ３であり、前記団粒剤の量は１ｋｇないし６ｋｇであり、前記水の量は０．１ｍ３ないし０．５ｍ３である、請求項１又は２に記載の植物生育材料。
【請求項６】
前記粘土粒子の重量は前記土の重量の１５％ないし５０％である、請求項１ないし５のいずれか１項に記載の植物生育材料。
【発明の詳細な説明】
【技術分野】
【０００１】
本発明は、屋上緑化のための植物生育材料に関する。
【背景技術】
【０００２】
近年、ヒートアイランド現象の抑制、都市景観の向上等のため、建物の屋上の緑化が行われており、該屋上の緑化に植物生育材料が用いられている。従来、前記植物生育材料には、軽量気泡コンクリート（ＡＬＣ）からなる粒状物と、粘土粒子を含む土と、団粒剤と、水との混合物からなるものがある。前記屋上の緑化を行うとき、前記屋上に前記植物生育材料を配置し、該植物生育材料で植物を生育させる（特許文献１参照）。前記粒状物は、多孔質であるため、比較的軽量である。このため、前記植物生育材料を軽量化することができ、該植物生育材料が前記建物に加える荷重を軽減することができる。
【０００３】
前記粒状物は、一般に、比較的脆く、前記粒状物の取扱い中に擦れたり、他の物に当たったりして砕ける。これにより微細な粒子が生じる。このため、前記粒状物に前記微細な粒子が含まれており、前記屋上に配置された前記植物生育材料が強風や大雨に曝されたとき、前記微細な粒子が前記植物生育材料から前記屋上へ飛散又は流出し、前記微細な粒子により前記屋上が汚れる恐れがある。
【０００４】
前記植物生育材料が前記粒状物と、前記粘土粒子を含む土と、前記団粒剤と、前記水との混合物からなるため、前記微細な粒子は前記混合物の生成時に前記団粒剤の凝集作用により前記粘土粒子とともに団粒を形成する。これにより、前記微細な粒子が飛散又は流出することを防ぐことができる。また、前記植物生育材料は、前記団粒の内部に存在する空隙と前記粒状物の孔とに水や肥料を貯えることができ、保水性及び保肥性に優れる。このため、前記植物生育材料への水や肥料の供給の頻度を減らすことができる。
【先行技術文献】
【特許文献】
【０００５】
【特許文献１】特開２０１０−１４８４４６号公報
【発明の概要】
【発明が解決しようとする課題】
【０００６】
前記軽量気泡コンクリートは強アルカリ性であり、該軽量気泡コンクリートからなる前記粒状物を含む前記植物生育材料はアルカリ性である。このため、前記植物生育材料は前記植物の生育に適さず、前記植物生育材料により前記植物の生育を促すことができない。
【０００７】
本発明の目的は、屋上緑化のための植物生育材料を軽量化しつつ該植物生育材料により植物の生育を促すことができるようにすることである。
【課題を解決するための手段】
【０００８】
本発明は、屋上緑化のための植物生育材料が軽石と、粘土粒子を含む土と、団粒剤と、水との混合物からなることにより、従来用いられていた強アルカリ性の軽量気泡コンクリートを用いることなく前記軽石により前記植物生育材料を軽量化する。これにより、前記軽石は中性であるから、前記植物生育材料が中性になるようにし、前記軽量気泡コンクリートを用いた場合のように前記植物生育材料がアルカリ性になることがないようにし、前記植物生育材料を軽量化しつつ該植物生育材料により植物の生育を促すことができるようにする。
【０００９】
本発明に係る、屋上緑化のための植物生育材料は、軽石と、粘土粒子を含む土と、団粒剤と、水との混合物からなる。前記植物生育材料が前記軽石と、前記土と、前記団粒剤と、前記水との混合物からなるため、従来用いられていた強アルカリ性の軽量気泡コンクリートを用いることなく前記軽石により前記植物生育材料を軽量化することができる。前記軽石はほぼ中性であるから、前記植物生育材料はほぼ中性であり、前記軽量気泡コンクリートを用いた場合のように前記植物生育材料がアルカリ性になることはない。このため、前記植物生育材料は、植物の生育に適しており、前記植物の生育を促すことができる。
【００１０】
前記植物生育材料は、前記混合物に保水剤が含まれているものとすることができる。前記保水剤は、前記植物生育材料に供給された水を吸収する。前記保水剤により吸収された水は、前記植物生育材料が乾燥し始めると、前記保水剤から放出され、前記植物は、前記保水剤から放出された水を吸収する。このようにして前記植物生育材料の乾燥を遅らせることができ、前記植物生育材料の保水性を向上させることができる。これにより前記植物生育材料への給水の頻度を減らすことができる。
【００１１】
前記植物生育材料は、前記混合物に肥料及び植物の破砕片の少なくとも一方が含まれているものとすることができる。前記混合物に前記破砕片が含まれていることにより、前記植物生育材料を製造する際に前記軽石と前記土と前記破砕片と前記団粒剤と前記水とを混合し、撹拌している間に前記団粒剤の凝集作用により前記粘土粒子が凝集して複数の団粒が形成され、前記破砕片は前記団粒と絡み合って前記植物生育材料を補強する。このため、前記植物生育材料は耐侵食性及び安定性に優れ、前記植物生育材料が雨により流されることを防ぐことができる。
【００１２】
前記軽石は、洗浄されたものとすることができる。ところで、前記軽石が洗浄されていない場合、前記軽石に比較的多量のシルトが含まれている。前記シルトは、前記粘土粒子より粒径が大きいため、前記軽石と前記土と前記団粒剤と前記水とを混合し、撹拌している間、前記団粒剤の凝集作用により前記団粒を形成することが難しく、前記軽石の孔に詰まることがある。これに対して、前記軽石が洗浄されている場合、前記洗浄により前記軽石から前記シルトを除去することができ、前記軽石に含まれている前記シルトの量は比較的少ない。このため、前記軽石と前記土と前記団粒剤と前記水とを混合し、撹拌している間に前記シルトが前記軽石の前記孔に詰まることはない。このため、前記シルトが前記軽石の前記孔に詰まることにより、前記植物生育材料の保水性及び保肥性が低下したり、前記軽石が重くなり、前記植物生育材料の重量が増したりすることがないようにすることができる。また、前記植物生育材料を屋上に配置した後に前記シルトが前記植物生育材料から前記屋上へ流出し、前記シルトにより前記屋上が汚れることがないようにすることができる。
【００１３】
前記軽石の量と前記土の量との合計１．０ｍ３につき、前記軽石の量は０．３ｍ３ないし０．９ｍ３であり、前記団粒剤の量は１ｋｇないし６ｋｇであり、前記水の量は０．１ｍ３ないし０．５ｍ３である。前記粘土粒子の重量は前記土の重量の１５％ないし５０％である。
【発明の効果】
【００１４】
本発明によれば、屋上緑化のための植物生育材料が軽石と、土と、団粒剤と、水との混合物からなるため、従来用いられていた強アルカリ性の軽量気泡コンクリートを用いることなく前記軽石により前記植物生育材料を軽量化することができる。これにより、前記軽石はほぼ中性であるから、前記植物生育材料をほぼ中性にすることができ、前記軽量気泡コンクリートを用いた場合のように前記植物生育材料がアルカリ性になることはなく、植物の生育に適した前記植物生育材料を提供することができる。このため、前記植物生育材料を軽量化しつつ該植物生育材料により前記植物の生育を促すことができる。
【図面の簡単な説明】
【００１５】
【図１】本発明の第１実施例に係る、屋上に配置された植物生育材料の縦断面図。
【図２】本発明の第１実施例に係る植物生育材料の配合例を示す図。
【図３】本発明の第２実施例に係る植物生育材料の配合例を示す図。
【図４】本発明の第３実施例に係る植物生育材料の配合例を示す図。
【図５】本発明の第４実施例に係る植物生育材料の配合例を示す図。
【図６】本発明の第５実施例に係る植物生育材料の配合例を示す図。
【図７】本発明の第６実施例に係る植物生育材料の配合例を示す図。
【発明を実施するための形態】
【００１６】
図１に示すように、建物の屋上１０を緑化するために植物生育材料１２が用いられている。植物生育材料１２は屋上１０に配置されており、植物生育材料１２で植物１４を生育させる。
【００１７】
屋上１０に容器１６が配置されており、植物生育材料１２は容器１６に収容されている。植物生育材料１２は、容器１６に収容されている図１に示した例に代え、容器１６に収容されることなく屋上１０に配置されていてもよい。
【００１８】
植物生育材料１２は、軽石と、粘土粒子を含む土と、団粒剤と、水との混合物からなる。前記軽石は、多孔質であり、比較的軽量である。このため、植物生育材料１２を軽量化することができ、植物生育材料１２が屋上１０に加える荷重を小さくすることができる。
【００１９】
前記軽石は榛名石、抗火石、大谷石、鹿沼土等である。前記軽石の粒径は８ｍｍないし１５ｍｍ程度であり、前記軽石のＰＨは５．０ないし７．５である。前記粘土粒子の重量は前記土の重量の１５％ないし５０％である。前記土は、例えば黒土であり、前記土のＰＨは５．０ないし７．５である。前記団粒剤は高分子凝集剤である。植物生育材料１２のＰＨは５．０ないし７．５である。
【００２０】
前記軽石の量と前記土の量との合計１．０ｍ３につき、前記軽石の量は０．３ｍ３ないし０．９ｍ３であり、前記団粒剤の量は１ｋｇないし６ｋｇであり、前記水の量は０．１ｍ３ないし０．５ｍ３である。例えば、前記軽石の量が０．３ｍ３であるとき、前記土の量は０．７ｍ３である。また、前記軽石の量が０．９ｍ３であるとき、前記土の量は０．１ｍ３である。図２に示す例では、前記軽石の量は０．７５ｍ３であり、前記土の量は０．２５ｍ３であり、前記団粒剤の量は２．０ｋｇであり、前記水の量は０．１９ｍ３である。
【００２１】
植物生育材料１２を製造するとき、前記軽石と、前記土と、前記団粒剤と、前記水とを混合し、撹拌する。これにより前記混合物が生成される。このとき、まず、前記軽石と、前記土と、前記水とを混合し、撹拌し、その後、これらと、前記団粒剤とを混合し、撹拌する。又は、まず、前記軽石と、前記土とを混合し、撹拌し、次に、混合及び撹拌された前記軽石及び前記土と、前記水とを混合し、撹拌し、その後、混合及び撹拌された前記軽石、前記土及び前記水と、前記団粒剤とを混合し、撹拌する。屋上１０を緑化するとき、該屋上に植物生育材料１２を配置する。このとき、屋上１０に容器１６を配置し、該容器に植物生育材料１２を入れる。その後、植物生育材料１２に植物１４又は該植物の種を植える。
【００２２】
前記軽石と前記土と前記団粒剤と前記水とを混合し、撹拌している間に前記団粒剤の凝集作用により前記粘土粒子が凝集して複数の団粒が形成される。これにより、１つの団粒と他の団粒との間に、空気や水を通す比較的大きい空隙が形成される。このため、植物生育材料１２は通気性及び排水性に優れる。
【００２３】
各団粒は、該団粒の内部における１つの粘土粒子と他の粘土粒子との間に、水や肥料を貯える比較的小さい空隙を有する。また、多孔質の前記軽石は、水や肥料を貯える孔を有する。このため、植物生育材料１２は保水性及び保肥性に優れており、植物生育材料１２への水や肥料の供給の頻度を減らすことができる。
【００２４】
ところで、前記軽石は、多孔質であるため、比較的脆く、前記軽石の取扱い中に擦れて又は他の物に当たって砕ける。これにより微細な粒子が生じるため、前記軽石には前記微細な粒子が含まれている。前記軽石と前記土と前記団粒剤と前記水とを混合し、撹拌している間に前記微細な粒子は前記団粒剤の凝集作用により前記粘土粒子とともに凝集して前記団粒を形成する。このため、屋上１０に配置された植物生育材料１２が強風又は大雨に曝されたときに前記微細な粒子が植物生育材料１２から屋上１０へ飛散又は流出することを防ぐことができ、前記微細な粒子により屋上１０が汚れることを防止することができる。
【００２５】
植物生育材料１２が前記軽石と、前記土と、前記団粒剤と、前記水との混合物からなるため、従来用いられていた強アルカリ性の軽量気泡コンクリートを用いることなく前記軽石により植物生育材料１２を軽量化することができる。前記軽石はほぼ中性であるため、植物生育材料１２はほぼ中性であり、前記軽量気泡コンクリートを用いた場合のように植物生育材料１２がアルカリ性になることはない。このため、植物生育材料１２は植物１４の生育に適しており、植物生育材料１２を軽量化しつつ該植物生育材料により植物１４の生育を促すことができる。
【００２６】
前記軽石は、洗浄されたものとすることができる。この場合、植物生育材料１２を製造するとき、前記軽石と、前記土と、前記団粒剤と、前記水とを混合し、撹拌する前に前記軽石を洗浄する又は予め洗浄された前記軽石を用意する。前記軽石を洗浄するとき、前記軽石を水で洗い流す又は前記軽石を水に浸けて洗う。
【００２７】
ところで、前記軽石が、洗浄されていないものである場合、前記軽石に比較的多量のシルトが含まれている。前記シルトは、前記粘土粒子より粒径が大きいため、前記団粒剤の凝集作用により前記団粒を形成することが難しい。このため、前記軽石と前記土と前記団粒剤と前記水とを混合し、撹拌している間に前記シルトが前記軽石の前記孔に詰まることがある。これにより、前記軽石の前記孔が水や肥料を貯えられなくなり、植物生育材料１２の保水性及び保肥性が低下する恐れがある。また、前記軽石が重くなり、植物生育材料１２の重量が増す恐れがある。また、植物生育材料１２を屋上１０に配置した後に前記シルトが植物生育材料１２から屋上１０へ流出し、前記シルトにより屋上１０が汚れる恐れがある。
【００２８】
他方、前記軽石が、洗浄されたものである場合、前記洗浄により前記軽石から前記シルトを除去することができ、前記軽石に含まれている前記シルトの量は比較的少ない。このため、前記軽石と前記土と前記団粒剤と前記水とを混合し、撹拌している間に前記シルトが前記軽石の前記孔に詰まることはなく、植物生育材料１２の保水性及び保肥性が低下することはない。また、前記軽石が重くなり、植物生育材料１２の重量が増すことはない。また、植物生育材料１２を屋上１０に配置した後に前記シルトが植物生育材料１２から屋上１０へ流出し、前記シルトにより屋上１０が汚れることはない。
【００２９】
図３に示す例では、前記混合物に、吸水性樹脂からなる保水剤が含まれている。この場合、植物生育材料１２は、前記軽石と、前記土と、前記団粒剤と、前記保水剤と、前記水との混合物からなる。前記保水剤は、粉末状であり、例えば、前記保水剤の自重の１５０倍ないし３００倍の水を吸収することができる。前記吸水性樹脂は、デンプン系樹脂、ポリアクリル酸ソーダ等である。
【００３０】
前記保水剤は、植物生育材料１２に供給された水を吸収する。前記保水剤により吸収された水は、植物生育材料１２が乾燥し始めると、前記保水剤から放出され、植物１４は、前記保水剤から放出された水を吸収する。このようにして植物生育材料１２の乾燥を遅らせることができ、植物生育材料１２の保水性を向上させることができる。これにより植物生育材料１２への給水の頻度を減らすことができる。
【００３１】
前記混合物を生成するとき、まず、前記軽石と、前記土と、前記団粒剤と、前記水とを混合し、撹拌する。このとき、前記軽石と、前記土と、前記水とを混合し、撹拌し、その後、これらと、前記団粒剤とを混合し、撹拌する。又は、前記軽石と、前記土とを混合し、撹拌し、次に、混合及び撹拌された前記軽石及び前記土と、前記水とを混合し、撹拌し、その後、混合及び撹拌された前記軽石、前記土及び前記水と、前記団粒剤とを混合し、撹拌する。その後、混合及び撹拌された前記軽石、前記土、前記団粒剤及び前記水に前記保水剤を加えて撹拌する。前記軽石と前記土と前記団粒剤と前記水とを混合し、撹拌した後に、これらに前記保水剤を加えることにより、前記団粒の形成に必要な水が前記保水剤により吸収されて不足し、前記団粒の形成が十分に行われないということが起きないようにする。
【００３２】
前記保水剤は、乾燥したものとすることができ、また、予め吸水させたものであって吸水能力を有するものとすることができる。前記保水剤を、予め吸水させたものとすることにより、屋上１０に植物生育材料１２を配置した直後の該植物生育材料の保水性を高めることができ、植物生育材料１２に植物１４を植えたときの該植物の根付きを良くすることができる。
【００３３】
前記軽石の量と前記土の量との合計１．０ｍ３につき、前記軽石の量は０．３ｍ３ないし０．９ｍ３であり、前記団粒剤の量は１ｋｇないし６ｋｇであり、前記保水剤の量は０．３ｋｇないし１．０ｋｇであり、前記水の量は０．１ｍ３ないし０．５ｍ３である。図３に示した例では、前記軽石の量は０．７５ｍ３であり、前記土の量は０．２５ｍ３であり、前記団粒剤の量は２．０ｋｇであり、前記保水剤の量は０．５ｋｇであり、前記水の量は０．１９ｍ３である。
【００３４】
図４に示す例では、前記混合物に有機肥料が含まれている。植物生育材料１２は、前記軽石と、前記土と、前記有機肥料と、前記団粒剤と、前記保水剤と、前記水との混合物からなる。前記有機肥料は、バーク堆肥のような堆肥である。前記有機肥料は、前記堆肥である図４に示した例に代え、厩肥のような他の肥料でもよい。
【００３５】
前記軽石の量と前記土の量と前記有機肥料の量との合計１．０ｍ３につき、前記軽石の量は０．３ｍ３以上０．９ｍ３未満であり、前記団粒剤の量は１ｋｇないし６ｋｇであり、前記水の量は０．１ｍ３ないし０．５ｍ３である。前記土の量は０．１ｍ３以上であり、前記有機肥料の量は０．２ｍ３以下である。例えば、前記軽石の量が０．３ｍ３であるとき、前記土の量と前記有機肥料の量との合計は０．７ｍ３である。前記土の量と前記有機肥料の量との合計０．７ｍ３につき、前記土の量が０．６ｍ３であるとき、前記有機肥料の量は０．１ｍ３であり、前記土の量が０．５ｍ３であるとき、前記有機肥料の量は０．２ｍ３である。また、前記軽石の量が０．７ｍ３であるとき、前記土の量と前記有機肥料の量との合計は０．３ｍ３である。前記土の量と前記有機肥料の量との合計０．３ｍ３につき、前記土の量が０．１ｍ３であるとき、前記有機肥料の量は０．２ｍ３である。また、前記軽石の量が０．８５ｍ３であるとき、前記土の量と前記有機肥料の量との合計は０．１５ｍ３である。前記土の量と前記有機肥料の量との合計０．１５ｍ３につき、前記土の量が０．１ｍ３であるとき、前記有機肥料の量は０．０５ｍ３である。
【００３６】
図４に示した例では、前記軽石の量は０．６ｍ３であり、前記土の量は０．３ｍ３であり、前記有機肥料の量は０．１ｍ３であり、前記団粒剤の量は２．５ｋｇであり、前記保水剤の量は０．５ｋｇであり、前記水の量は０．２２ｍ３である。図５に示した例では、前記軽石の量は０．６１ｍ３であり、前記土の量は０．３５ｍ３であり、前記有機肥料の量は０．０４ｍ３であり、前記団粒剤の量は３．０ｋｇであり、前記保水剤の量は０．５ｋｇであり、前記水の量は０．１６ｍ３である。
【００３７】
図６に示す例では、前記混合物に前記有機肥料が含まれている図４に示した例に代え、前記混合物に植物の破砕片が含まれている。植物生育材料１２は、前記軽石と、前記土と、前記破砕片と、前記団粒剤と、前記保水剤と、前記水との混合物からなる。前記破砕片は、樹木の幹、枝葉若しくは根の破砕片、草の破砕片又はこれらの混合物からなり、未腐熟である。前記破砕片は細長く、前記破砕片の長さは０．５ｃｍないし１０ｃｍである。
【００３８】
前記混合物を生成するとき、前記軽石と、前記土と、前記破砕片と、前記団粒剤と、前記水とを混合し、撹拌する。このとき、前記軽石と、前記土と、前記破砕片と、前記水とを混合し、撹拌し、その後、これらと、前記団粒剤とを混合し、撹拌する。又は、前記軽石と、前記土と、前記破砕片とを混合し、撹拌し、次に、混合及び撹拌された前記軽石、前記土及び前記破砕片と、前記水とを混合し、撹拌し、その後、混合及び撹拌された前記軽石、前記土、前記破砕片及び前記水と、前記団粒剤とを混合し、撹拌する。その後、混合及び撹拌された前記軽石、前記土、前記破砕片、前記団粒剤及び前記水に前記保水剤を加えて撹拌する。
【００３９】
前記軽石と、前記土と、前記破砕片と、前記団粒剤と、前記水とを混合し、撹拌している間に前記団粒が形成され、前記破砕片は前記団粒と絡み合って植物生育材料１２を補強する。このため、植物生育材料１２は耐侵食性及び安定性に優れ、植物生育材料１２が雨により流されることを防ぐことができる。また、前記破砕片は、時間の経過とともに腐熟して植物１４の肥料となり、該植物の生育を促す。
【００４０】
前記軽石の量と前記土の量と前記破砕片の量との合計１．０ｍ３につき、前記軽石の量は０．３ｍ３以上０．９ｍ３未満であり、前記団粒剤の量は１ｋｇないし６ｋｇであり、前記水の量は０．１ｍ３ないし０．５ｍ３である。前記土の量は０．１ｍ３以上であり、前記破砕片の量は０．２ｍ３以下である。例えば、前記軽石の量が０．３ｍ３であるとき、前記土の量と前記破砕片の量との合計は０．７ｍ３である。前記土の量と前記破砕片の量との合計０．７ｍ３につき、前記土の量が０．６ｍ３であるとき、前記破砕片の量は０．１ｍ３であり、前記土の量が０．５ｍ３であるとき、前記破砕片の量は０．２ｍ３である。また、前記軽石の量が０．７ｍ３であるとき、前記土の量と前記破砕片の量との合計は０．３ｍ３である。前記土の量と前記破砕片の量との合計０．３ｍ３につき、前記土の量が０．１ｍ３であるとき、前記破砕片の量は０．２ｍ３である。また、前記軽石の量が０．８５ｍ３であるとき、前記土の量と前記破砕片の量との合計は０．１５ｍ３である。前記土の量と前記破砕片の量との合計０．１５ｍ３につき、前記土の量が０．１ｍ３であるとき、前記破砕片の量は０．０５ｍ３である。図６に示した例では、前記軽石の量は０．６ｍ３であり、前記土の量は０．３ｍ３であり、前記破砕片の量は０．１ｍ３であり、前記団粒剤の量は２．５ｋｇであり、前記保水剤の量は０．５ｋｇであり、前記水の量は０．２２ｍ３である。
【００４１】
図７に示す例では、前記混合物に前記有機肥料及び前記破砕片の双方が含まれている。植物生育材料１２は、前記軽石と、前記土と、前記有機肥料と、前記破砕片と、前記団粒剤と、前記保水剤と、前記水との混合物からなる。前記軽石の量と前記土の量と前記有機肥料の量と前記破砕片の量との合計１．０ｍ３につき、前記軽石の量は０．３ｍ３以上０．９ｍ３未満であり、前記団粒剤の量は１ｋｇないし６ｋｇであり、前記水の量は０．１ｍ３ないし０．５ｍ３である。前記土の量は０．１ｍ３以上であり、前記有機肥料の量と前記破砕片の量との合計は０．２ｍ３以下である。図７に示した例では、前記軽石の量は０．６ｍ３であり、前記土の量は０．３ｍ３であり、前記有機肥料の量は０．０５ｍ３であり、前記破砕片の量は０．０５ｍ３であり、前記団粒剤の量は２．５ｋｇであり、前記保水剤の量は０．５ｋｇであり、前記水の量は０．２２ｍ３である。
【符号の説明】
【００４２】
１０    屋上
１２    植物生育材料
１４    植物
【図１】
2012244934.tif 000003
【図２】
2012244934.tif 000004
【図３】
2012244934.tif 000005
【図４】
2012244934.tif 000006
【図５】
2012244934.tif 000007
【図６】
2012244934.tif 000008
【図７】
2012244934.tif 000009